(57)【要約】【課題】限られたスペースに表示される行き先階の数を実効的に増やすことができるエレベータ乗りかごの操作盤を提供する。【解決手段】乗りかごの操作盤は、行き先階表示を含む行き先階登録ボタンと、行き先階登録ボタンの行き先階表示内容を切り替える操作が入力される切替操作部と、切替操作部の状態に応じて、行き先階表示内容を一括して切り替える表示内容切替部とを備える。また、操作盤は、行先登録ボタンの押下を検出するボタン押下検出部と、切替操作部の状態と押下状態が検出された行先登録ボタンとに基づいて、指定された行き先階を判定する行き先階判定部とを備える。【選択図】図６
2013035610.tif 000002
【特許請求の範囲】
【請求項１】
エレベータ乗りかごの行き先階表示を含む複数の行き先階登録ボタンと、
前記複数の行き先階登録ボタンの前記行き先階表示内容を切り替える操作が入力される切替操作部と、
前記乗りかごの搭乗者の目に見える前記行き先階表示内容を、前記切替操作部の状態に応じて、一括して切り替える表示内容切替部と、
前記行先登録ボタンが押下されたことを検出するボタン押下検出部と、
前記切替操作部の状態と、前記ボタン押下検出部によって押下状態が検出された行先登録ボタンとに基づいて、指定された行き先階を判定する行き先階判定部と
を備えることを特徴とするエレベータ乗りかごの操作盤。
【請求項２】
前記行き先階表示は２つの群の行き先階表示を含み、
前記エレベータ乗りかごの操作盤は、
前記複数の行先登録ボタンにそれぞれ対応し、前記行き先階表示のうち一方の群の行き先階表示のみを視認可能なように形成された複数の透明部を含む表面プレートを備えることを特徴とする請求項１に記載のエレベータ乗りかごの操作盤。
【請求項３】
前記表示内容切替部は、前記行先登録ボタンの前記行き先階表示内容が表された部材を、前記切替操作部の状態に応じて、スライドさせるスライド機構を含むことを特徴とする請求項２に記載のエレベータ乗りかごの操作盤。
【請求項４】
前記透明部は、前記表面プレートに形成された開口であることを特徴とする請求項３に記載のエレベータ乗りかごの操作盤。
【請求項５】
前記行き先階表示内容または前記行き先階表示内容の輪郭が、凸状または凹状に形成されていることを特徴とする請求項３に記載のエレベータ乗りかごの操作盤。
【請求項６】
前記行き先階表示には対応する点字表記が重畳して形成されていることを特徴とする請求項３に記載のエレベータ乗りかごの操作盤。
【請求項７】
前記表面プレートは、前記複数の透明部のそれぞれにボタン押下検出部が組み込まれたタッチパッドからなることを特徴とする請求項３に記載のエレベータ乗りかごの操作盤。
【請求項８】
前記エレベータ乗りかごの行き先階表示を含む複数の行き先階登録ボタンはフラットパネルディスプレイに表示され、
前記ボタン押下検出部は、前記フラットパネルディスプレイの前面に配置されたタッチパッドに組み込まれていることを特徴とする請求項１に記載のエレベータ乗りかごの操作盤。
【請求項９】
前記切替操作部は、人為的な操作入力によって２つの状態を切り替える１つのスイッチからなり、
前記エレベータ乗りかごの操作盤は、
前記行き先階表示を含む複数の行き先階登録ボタンそれぞれの近傍に配置され前記行き先階表示内容を表す行き先階点字表記部と、
前記切替操作部の近傍に配置され前記切替操作部の操作を支援する内容を表す切替操作点字表記部と
を、さらに、備えることを特徴とする請求項１ないし請求項４または請求項６ないし請求項８のいずれかに記載のエレベータ乗りかごの操作盤。
【請求項１０】
前記切替操作部は、予め２つの群に分けられた行き先階に対応する２つの表示内容のうち、一方の表示内容に切り替える操作が入力される第１のスイッチと、他方の表示内容に切り替える操作が入力される第２のスイッチとからなり、
前記エレベータ乗りかごの操作盤は、
前記行き先階表示を含む複数の行き先階登録ボタンそれぞれの近傍に配置され前記行き先階表示内容を表す行き先階点字表記部と、
前記第１のスイッチと前記第２のスイッチの近傍に配置され前記切替操作部の操作を支援する内容を表す切替操作点字表記部と
を、さらに、備えることを特徴とする請求項１ないし請求項４または請求項６ないし請求項８のいずれかに記載のエレベータ乗りかごの操作盤。
【発明の詳細な説明】
【技術分野】
【０００１】
本発明の実施形態は、エレベータ乗りかごの操作盤に関する。
【背景技術】
【０００２】
エレベータの着床階数が多い場合、行先登録ボタンの数が増加するため行先登録ボタンの設置のために必要なスペースが広くなる。しかし、行先登録ボタンが設置される乗りかご内の操作盤のスペースは限られているため、着床階数が多い場合には乗りかご内の操作盤の設計が困難になる。一方、乗りかご内の操作盤に関する多くの発明が開示されている。
【０００３】
特許文献１には、エレベータの行先呼び登録装置の発明が開示されている。この装置においては、乗りかご内の操作盤に行先登録ボタンの他にテンキーを設け、このテンキーは乗りかご内の操作盤の下方部に配置する。テンキーには数字ボタン、「登録」ボタンおよび「取消」ボタンを有する。数字ボタンおよび「登録」ボタンを操作すると、行先呼びが登録され、行先登録ボタンに内蔵する行先呼び登録灯が点灯する。数字ボタンおよび「取消」ボタンを操作すると行先呼びが取り消され、行先呼び登録灯が消灯する。テンキーを乗りかご内の操作盤の下方部に配置することによって、年少者あるいは身長の低い搭乗者はテンキーを用いて乗りかご呼びを行うことができる。しかし、乗りかご内の操作盤に行先登録ボタンの他にテンキーを設けると、さらに広い操作盤スペースが必要となる。また、テンキーを用いた乗りかご呼びは操作性が良いとは言いがたい。
【０００４】
特許文献２には、エレベータ運転操作システムの発明が開示されている。このシステムにおいては、エレベータの乗りかご内または乗場に設置されたタッチパネルのエレベータの通常運転時に用いられる基本画面には、階床名が表示された行先登録ボタンと、車椅子ボタンと、メニューボタンとが配置され、行先登録ボタンに触れると行先呼び登録を行なうとともに、車椅子ボタンに触れると、車椅子専用運転に切り替り、さらにメニューボタンに触れると、種々の特殊運転指令が行える画面に切り替えられるようになっている。このことによって、乗りかご内もしくは乗場のタッチパネルによるエレベータの運転操作の一元管理を実現するエレベータ運転操作システムが得られるとしている。しかし、乗りかご内の操作盤に行先登録ボタンの他に車椅子ボタンおよびメニューボタンを設けると、さらに広い操作盤スペースが必要となる。
【０００５】
特許文献３には、エレベータの乗りかご操作盤の発明が開示されている。この乗りかご操作盤には、エレベータの複数の着床階にそれぞれ対応して配列された行先登録ボタンと、これらの行先登録ボタンそれぞれのボタンヘッドの裏面に重合して設けられ各行先登録ボタンに対応した着床階の関連情報等を表示する表示パネルと、行先登録ボタンの操作に伴い表示パネルに表示される内容を制御する制御回路と、この制御回路に接続されて人為操作により表示パネルに表示される内容の表示データを変更する入力装置が備えられている。このことによって、乗りかご操作盤をよりインテリジェントなものにし得るとともに、利用者によって有効な建物およびエレベータ等の情報を表示することができるとしている。しかし、このような構成を採ることによって、限られたスペースの乗りかご操作盤に表示される行き先階の数を増やすことができるわけではない。
【先行技術文献】
【特許文献】
【０００６】
【特許文献１】特開２００３−２２１１７２号公報
【特許文献２】特開２００６−２８２３０８号公報
【特許文献３】特公平８−９４６１号公報
【発明の概要】
【発明が解決しようとする課題】
【０００７】
本発明は、上記のような問題点に鑑みてなされたもので、限られたスペースに表示される行き先階の数を実効的に増やすことができるエレベータ乗りかごの操作盤を提供することを目的とする。
【課題を解決するための手段】
【０００８】
本発明の実施形態によるエレベータ乗りかごの操作盤は、エレベータ乗りかごの行き先階表示を含む複数の行き先階登録ボタンと、複数の行き先階登録ボタンの行き先階表示内容を切り替える操作が入力される切替操作部と、切替操作部の状態に応じて、乗りかごの搭乗者の目に見える行き先階表示内容を一括して切り替える表示内容切替部とを備える。また、操作盤は、行先登録ボタンが押下されたことを検出するボタン押下検出部と、切替操作部の状態とボタン押下検出部によって押下状態が検出された行先登録ボタンとに基づいて、指定された行き先階を判定する行き先階判定部とを備える。
【図面の簡単な説明】
【０００９】
【図１】一実施形態の機能構成を説明するためのエレベータシステム全体の機能構成の概要を表す図である。
【図２】一実施形態における乗りかごの室内から乗りかごドア方向を見た図である。
【図３】一実施形態による乗りかご内の操作盤の一状態を表す図である。
【図４】一実施形態による乗りかご内の操作盤の他の状態を表す図である。
【図５】他の実施形態による乗りかご内の操作盤の一状態を表す図である。
【図６】行き先階登録ボタンの行き先階表示内容を切り替える構成の一例を表す図である。
【図７】行き先階表示形態の例である。
【図８】指定された行き先階を判定する動作を説明するための機能ブロック図の一例である。
【図９】行き先階登録ボタンの行き先階表示内容を切り替える構成の他の例を表す図である。
【図１０】行き先階登録ボタンの行き先階表示内容を切り替える構成の、さらに他の例を表す図である。
【図１１】別な実施形態による乗りかご内の操作盤の一状態を表す図である。
【図１２】さらに別な実施形態による乗りかご内の操作盤の一状態を表す図である。
【発明を実施するための形態】
【００１０】
以下、適宜、図面を参照しながら本発明の一例としての実施形態の説明を行う。尚、それぞれの図において、同一の部分または対応する部分には同一の参照符号を付すとともに、重複した説明は省略する。また、添付する図面は、それぞれの実施形態に関連する機能要素と、それらの関連を示すものであって、構成要素の物理的配置あるいは物理的構成を表すものではない。
【００１１】
本明細書および添付する図面においては、例としてエレベータの乗りかごは１階〜２０階に着床可能な場合を想定しているが、本実施形態は、着床階の数が２０に限定されることなく、２以上の任意の正数の着床階が存在する場合にも実施可能である。図１に、一実施形態の機能構成を説明するためのエレベータシステム全体の機能構成の概要を表す図を示す。また、通常のエレベータシステムの構成要素であるが、本実施形態に直接的には関連しない機能要素は、図に示していない。エレベータシステムの運行を制御する主制御盤１０２は、エレベータ機械室あるいは昇降路内に設置され、乗りかご１０４を昇降させる巻上機１０６を制御する。また、主制御盤１０２は、乗りかご１０４に設置され、乗りかご１０４内の機器を制御する乗りかご制御盤１０８に、指示データ、監視データ、その他必要なデータを伝達する。乗りかご１０４には、後ほど説明を行う操作盤１１０が設けられている。乗りかご１０４の搭乗者は、操作盤１１０を介して、乗りかご１０４の行き先階を指定する。乗りかご１０４の指定された行き先階の情報は、操作盤１１０から、乗りかご制御盤１０８を介して、主制御盤１０２に伝達され、乗りかご呼び登録が行われる。
【００１２】
図２に一実施形態における乗りかご１０４の室内から乗りかごドア方向を見た図を示す。乗りかご１０４内には、搭乗者が乗りかご１０４を運転操作するための操作盤１１０が設けられている。
【００１３】
一実施形態による操作盤１１０には、図３に示すように、乗りかご１０４の搭乗者が行き先階を指定するための行き先階表示を含む複数の行き先階登録ボタン３０２、乗りかご１０４が着床階で停止しているときに乗りかごドアを開閉するためのドア開閉ボタン３０４、乗りかご１０４の搭乗者に音声で報知するためのスピーカ（図示せず）等が設けられている。操作盤１１０には、行き先階登録ボタン３０２に含まれる行き先階表示の内容を切り替える操作が入力される切替操作部３０６が、さらに、設けられている。図に示した切替操作部３０６は、左右に捻ることによって２つの状態を切り替えるスイッチであるが、人為的な操作入力によって２つの状態を切り替える機能を有するものであれば、他の形態であってもよい。前述したように、一例として乗りかご１０４は１階〜２０階に着床可能な場合を想定しているが、本実施形態においては行き先階を２つの群に分け、行き先階登録ボタン３０２にはいずれか一方の群に属する行き先階表示内容を、切替操作部３０６の状態に応じて、一括して切り替え表示する。例えば、１階〜１０階を第１の群とし、１１階〜２０階を第２の群とする。図３に示した状態においては行き先階登録ボタン３０２に含まれる行き先階表示のうち、５行×２列に配列された、第１の群に属する１階〜１０階に対応する行き先階を表す文字「１」〜文字「１０」のみが乗りかご１０４の搭乗者の目に見える。行き先階登録ボタン３０２の行き先階表示内容を切り替える操作が切替操作部３０６に入力されると、図４に示すように、操作盤１１０に備えられた行き先階登録ボタン３０２には第２の群に属する１１階〜２０階に対応する行き先階を表す文字「１１」〜文字「２０」のみが乗りかご１０４の搭乗者の目に見えるようになる。
【００１４】
以上、図３および図４を参照しながら操作盤１１０に備えられた行き先階登録ボタン３０２の行き先階表示内容等を説明したが、図３および図４に示したような合計２０の行き先階の表示に限定されることなく、個々の行き先階表示の大きさと操作盤の面積によって制限される限度内で、任意の数の行き先階を一括して切り替え表示することができる。
【００１５】
本実施形態によれば、操作盤の限られたスペースに表示される行き先階の数を、実効的に増やすことができる。逆に言えば、所定の数の行き先階を表示するスペースを小さくすることができる。
【００１６】
図５に、他の実施形態による操作盤１１０の一状態を示す。図５に示す実施形態は、図３および図４に示した実施形態と、切替操作部の構成が異なる点で相違する。図５に示す操作盤１１０における切替操作部は２つの切替操作部５０６ａおよび５０６ｂからなる。切替操作部５０６ａに搭乗者による操作が入力されると行き先階登録ボタン３０２に含まれる行き先階表示のうち第１の群に属する１階〜１０階に対応する行き先階を表す文字「１」〜文字「１０」のみが乗りかご１０４の搭乗者の目に見えるように行き先階表示が切り替えられ、切替操作部５０６ｂに搭乗者による操作が入力されると行き先階表示のうち第２の群に属する１１階〜２０階に対応する行き先階を表す文字「１１」〜文字「２０」のみが乗りかご１０４の搭乗者の目に見えるように行き先階表示が切り替えられる。すなわち、本実施形態においては、切替操作部は、予め２つの群に分けられた行き先階に対応する２つの表示内容のうち、一方の表示内容に切り替える操作が入力される第１の切替操作部５０６ａと、他方の表示内容に切り替える操作が入力される第２の切替操作部５０６ｂとからなる。図５は、切替操作部５０６ａに人為的な操作が入力された状態を示している。切替操作部５０６ａおよび５０６ｂとして、例えば、押しボタンスイッチを用いることができるが、人為的な操作入力を検知する機能を有するものであれば、他の形態のものを用いることもできる。尚、図６ないし図１０を参照しながら行う説明においては主として図３に示した実施形態の状態と関連して記載するが、その説明内容は図３に示した実施形態についてもあてはまる。
【００１７】
図６に、行き先階登録ボタン３０２の行き先階表示内容を一括して切り替える構成の一例を示す。尚、それぞれの行き先階登録ボタン３０２の構造は同じであるため、一部の行き先階登録ボタンについてのみ説明する。図６（ａ）は、図３に示した状態における操作盤１１０の行き先階登録ボタン３０２の一部を表した図である。図６（ａ）に示した状態では行き先階登録ボタンに含まれる行き先階表示のうち、第１の群に属する行き先階、例えば、１階と６階に対応する行き先階を表す文字表示６０２ａ「１」、文字表示６０２ｂ「６」等のみが乗りかご１０４の搭乗者の目に見える。文字表示６０２ａ、６０２ｂ等の前面、すなわち乗りかご１０４の室内側には不透明な表面プレート６０４が設けられており、文字表示６０２ａおよび６０２ｂは、それぞれ、表面プレート６０４に形成された開口６０６ａおよび６０６ｂを通じて乗りかご１０４の搭乗者から見えている。図６（ｂ）は、図６（ａ）に示した文字表示６０２ａおよび６０２ｂの中心間を通る直線部における図６（ａ）の断面の一例を表す図である。文字表示６０２ａが形成された部材および文字表示６０２ｂが形成された部材の背面には、それぞれスイッチ６０８ａおよびスイッチ６０８ｂが設けられている。スイッチ６０８ａおよびスイッチ６０８ｂは、それぞれ、文字表示６０２ａおよび文字表示６０２ｂが押下されたことを検出する。スイッチ６０８ａおよびスイッチ６０８ｂは回路基板６１０に接続されており、スイッチ６０８ａ、スイッチ６０８ｂ等によって検出される文字表示６０２ａ、文字表示６０２ｂ等の押下状態が回路基板６１０に伝達される。回路基板６１０には、切替操作部３０６の状態も伝達される。ここで、文字表示６０２ａが形成された部材には文字表示６０２ａ’が形成された部材が、文字表示６０２ｂが形成された部材には文字表示６０２ｂ’が形成された部材が連結されており、これらの部材は切替操作部３０６に行き先階表示内容を切り替える操作が入力されると、表示内容切替部（図示せず）によって一括して図６（ｂ）に示すＰ方向にスライドする。乗りかご１０４の行き先指定階を表す文字表示が形成された部材をスライドさせるためには、本技術分野で周知の任意の適切なスライド機構を用いることができる。
【００１８】
行き先指定階を表す文字表示が形成された部材がＰ方向にスライドすると、図６（ａ）に示した操作盤１１０の行き先階登録ボタン３０２に含まれる行き先階表示が、一部を図６（ｃ）に示すように一括して切り替わる。すなわち、図６（ｃ）に示した状態では行き先階登録ボタンに含まれる行き先階表示のうち、図６（ａ）に示した状態においては不透明な表面プレート６０４によって隠されていた第２の群に属する行き先階、例えば、１１階と１６階に対応する行き先階を表す文字表示６０２ａ’「１１」および文字表示６０２ｂ’「１６」のみが乗りかご１０４の搭乗者の目に見える。図６（ａ）に示した状態において搭乗者の目に見えていた、第１の群に属する行き先階、例えば、１階と６階に対応する行き先階を表す文字表示６０２ａ「１」および文字表示６０２ｂ「６」は、不透明な表面プレート６０４によって隠され、乗りかご１０４の搭乗者には見えなくなる。この状態において、操作盤１１０の行き先階登録ボタン３０２の外観は図４に示した状態になる。図６（ｄ）は、図６（ｃ）に示した文字表示６０２ａ’および６０２ｂ’の中心間を通る直線部における図６（ｃ）の断面の一例を表す図であるが、文字表示が形成された部材の位置が異なる点を除くと、図６（ｂ）と同一である。この状態において、スイッチ６０８ａおよびスイッチ６０８ｂは、それぞれ、文字表示６０２ａ’および文字表示６０２ｂ’が押下されたことを検出する。スイッチ６０８ａ、スイッチ６０８ｂ等によって検出される文字表示６０２ａ’、文字表示６０２ｂ’等の押下状態が回路基板６１０に伝達される。
【００１９】
尚、図６に示した構成例において、行き先階登録ボタン３０２の各行き先階表示内容を図７（ａ）に示すように凸状に形成することによって、目が不自由な搭乗者が各行き先階表示を認識することができる。行き先階表示内容は凹状に形成してもよい。また、行き先階登録ボタン３０２の各行き先階表示内容の輪郭を図７（ｂ）に示すように凸状に形成することによっても、目が不自由な搭乗者が各行き先階表示を認識することができる。行き先階表示内容の輪郭は凹状に形成してもよい。さらに、行き先階登録ボタン３０２の各行き先階表示に対応する内容の点字表記を図７（ｃ）に白い丸で示すように重畳して形成することによっても、目が不自由な搭乗者が各行き先階表示を認識することができる。点字表記を透明にするか、行き先階表示に合わせた色にすることによって、行き先階表示内容の視認性は殆ど損なわれない。
【００２０】
前述したように、例えば、スイッチ６０８ａは、文字表示６０２ａが押下されたことを検出するとともに、文字表示６０２ａ’が押下されたことを検出する機能を担う。したがって、スイッチ６０８ａから回路基板６１０に伝達される文字表示の押下状態だけでは、文字表示６０２ａが押下されたのか、文字表示６０２ａ’が押下されたのかを判定することはできない。このため、回路基板６１０に伝達される切替操作部３０６の状態を加味して、乗りかご１０４の搭乗者によって押下された文字表示（行先登録ボタン）、すなわち指定された行き先階を判定する。行き先階を判定する動作については、後ほど図８を参照しながら説明を行う。
【００２１】
以上、図６を参照しながら行き先階登録ボタン３０２の行き先階表示内容を切り替える構成の一例を一部の行き先階登録ボタンについて説明したが、２つの群の行き先階表示を切り替えるスライド方向は、必ずしも図６（ｂ）に示したＰ方向、すなわち水平方向に限定されるわけではない。２つの群の行き先階表示を切り替えるスライド方向は、２つの群の行き先階表示の位置関係に応じて、例えば、上下方向あるいは斜め方向にすることができる。このことは、図６に示した実施形態に限らず、以降述べるすべての実施形態においても同様である。
【００２２】
図８に、乗りかご１０４の搭乗者によって指定された行き先階を判定する動作を説明するための機能ブロック図の一例を示す。複数のボタン押下検出部８０２の出力は行き先階判定部８０４に接続されている。図６に示した実施形態においては、ボタン押下検出部８０２はスイッチ６０８であり、行き先階判定部８０４は回路基板６１０に実装されている。また、行き先階判定部８０４には切替操作部３０６の状態が入力される。ボタン押下検出部＃１（８０２）が図６に示したスイッチ６０８ａである場合を例として説明を行う。前述したように、スイッチ６０８ａは、１階に対応する文字表示６０２ａが押下されたことを検出するとともに、１１階に対応する文字表示６０２ａ’が押下されたことを検出する。換言すれば、スイッチ６０８ａによって押下状態が検出される行先登録ボタンは、文字表示６０２ａまたは文字表示６０２ａ’である。行き先階判定部８０４は、スイッチ６０８ａから押下状態検出信号を受信すると、切替操作部３０６から入力される切替操作部３０６の状態に応じて、乗りかご１０４の搭乗者によって指定された行き先階を判定する。すなわち、行き先階判定部８０４は、切替操作部３０６の状態が図３に対応する状態であるときには文字表示６０２ａが押下されており指定行き先階は１階であり、切替操作部３０６の状態が図４に対応する状態であるときには文字表示６０２ａ’が押下されており指定行き先階は１１階であると判定する。行き先階判定部８０４によって判定された指定行き先階を表す情報は、乗りかご制御盤１０８を介して主制御装置１０２に伝達され乗りかご呼び登録が行われる。図８に示した行き先階を判定するための機能ブロック図の一例は、以降述べるすべての実施形態においても同様に適用することができる。
【００２３】
図９に、行き先階登録ボタン３０２の行き先階表示内容を一括して切り替える構成の他の例を示す。尚、それぞれの行き先階登録ボタン３０２の構造は同じであるため、一部の行き先階登録ボタンについてのみ説明する。図９（ａ）は、図３に示した状態における操作盤１１０の行き先階登録ボタン３０２を表した図である。図９（ａ）に示した状態では行き先階登録ボタンに含まれる行き先階表示のうち、第１の群に属する行き先階、例えば、１階と６階に対応する行き先階を表す文字表示６０２ａ「１」、文字表示６０２ｂ「６」等のみが乗りかご１０４の搭乗者の目に見える。文字表示６０２ａ、６０２ｂ等の前面、すなわち乗りかご１０４の室内側には行き先階を表す文字表示の位置に対応する箇所に透明部９０６を有する表面プレート９０４が設けられており、文字表示６０２ａおよび６０２ｂは、それぞれ、表面プレート９０４に形成された透明部９０６ａおよび９０６ｂを通じて乗りかご１０４の搭乗者から見えている。他の文字表示も同様に透明部９０６を通じて搭乗者から見えている。表面プレート９０４には、どの透明部９０６に入力操作が行われたのかを検出する位置検出機能が備えられている。このような位置検出機能は、抵抗膜方式、静電容量方式、表面弾性波方式、赤外線方式およびマトリクス・スイッチ方式等のタッチパッドによって実装することができる。すなわち、表面プレート９０４は、複数の透明部９０６のそれぞれにボタン押下検出部が組み込まれたタッチパッドから構成することができる。図９に示した形態においては、表面プレート９０４は、透明部９０６以外の領域では不透明である。表面プレート９０４の透明部９０６以外の領域も透明とし、透明部９０６に対応する位置に開口を備えたプレートまたはフィルムを表面プレート９０４に取り付ける等、行き先階を表す文字表示の位置に対応する箇所以外の領域を実質的に不透明とする形態としてもよい。
【００２４】
図９（ｂ）は、図９（ａ）に示した文字表示９０２ａおよび９０２ｂの中心間を通る直線部における図９（ａ）の断面の一例を表す図である。表面プレート９０４は回路基板９１０に接続されており、回路基板９１０は表面プレート９０４から伝達される信号に基づいて押下された透明部９０６を特定する。回路基板９１０には切替操作部３０６の状態も伝達され、図８を参照しながら説明を行った方法によって、乗りかご１０４の搭乗者によって指定された行き先階が判定される。文字表示６０２ａ、６０２ａ’、６０２ｂ、６０２ｂ’等の文字表示６０２が形成された部材は、図６を参照しながら説明を行ったように、切替操作部３０６に行き先階表示内容を切り替える操作が入力されると、表示内容切替部（図示せず）によって一括してスライドする。
【００２５】
図１０に、行き先階登録ボタン３０２の行き先階表示内容を一括して切り替える構成の、さらに他の例を示す。図１０に示す構成は、エレベータ乗りかごの行き先階表示を含む複数の行き先階登録ボタンがフラットパネルディスプレイに表示される点で、図９に示した構成と大きく異なる。尚、それぞれの行き先階登録ボタン３０２の構造は同じであるため、一部の行き先階登録ボタンについてのみ説明する。
【００２６】
図１０（ａ）は、図３に示した状態における操作盤１１０の行き先階登録ボタン３０２を表した図である。図１０（ａ）に示した状態では行き先階登録ボタンに含まれる行き先階表示のうち、第１の群に属する行き先階、例えば、１階と６階に対応する行き先階を表す文字表示１００２ａ「１」、文字表示１００２ｂ「６」等のみが乗りかご１０４の搭乗者の目に見える。文字表示１００２ａ、１００２ｂ等の前面、すなわち乗りかご１０４の室内側には行き先階を表す文字表示の位置に対応する箇所に透明な位置検出部１００６を有する表面プレート１００４が設けられており、文字表示１００２ａおよび１００２ｂは、それぞれ、表面プレート１００４に形成された透明な位置検出部１００６ａおよび１００６ｂを通じて乗りかご１０４の搭乗者から見えている。他の文字表示も同様に位置検出部１００６を通じて搭乗者から見えている。このような表面プレート１００４はタッチパッドによって実装することができる。図１０に示した形態においては、表面プレート１００４は、位置検出部１００６以外の領域で不透明である必要は必ずしもない。
【００２７】
図１０（ｂ）は、図１０（ａ）に示した文字表示１００２ａおよび１００２ｂの中心間を通る直線部における図１０（ａ）の断面の一例を表す図である。文字表示１００２ａ、１００２ｂ等の文字表示をそれぞれ含む複数の行き先階登録ボタンはフラットパネルディスプレイ１０１２に表示される。フラットパネルディスプレイ１０１２としては、液晶ディスプレイ、プラズマディスプレイ、有機ＥＬ（electroluminescence）ディスプレイまたはＳＥＤ（Surface-conduction Electron-emitter Display）等を用いることができる。行き先階表示を含む複数の行き先階登録ボタンは、回路基板１０１０に含まれる表示内容切替部によってフラットパネルディスプレイ１０１２に表示される。回路基板１０１０には表面プレート１００４も接続されており、回路基板１０１０は表面プレート１００４から伝達される信号に基づいて押下された位置検出部１００６、すなわち押下された行き先階登録ボタンの位置を特定する。回路基板１０１０には切替操作部３０６の状態も伝達され、図８を参照しながら説明を行った方法によって、乗りかご１０４の搭乗者によって指定された行き先階が判定される。文字表示１００２ａ、１００２ｂ等の行き先階表示内容は、切替操作部３０６に行き先階表示内容を切り替える操作が入力されると、回路基板１０１０に含まれる表示内容切替部によって一括して切り替えられる。
【００２８】
図１１に、行き先階登録ボタン３０２の行き先階表示内容を一括して切り替える構成の、別な例を示す。図１１に示す構成例においては、図３に示した乗りかご内の操作盤１１０に点字表記部を付加したものである。エレベータ乗りかご１０４の操作盤１１０に設けられた行き先階表示を含む複数の行き先階登録ボタン３０２それぞれの近傍には、それぞれの行き先階登録ボタン３０２に対応する行き先階表示内容を表す行き先階点字表記部１１０２が配置されている。例えば、図において左下に示されている行き先階登録ボタン３０２には、図に示す状態のおいては「１」が表示されているが、切替操作部３０６に切替操作が入力されると「１１」が表示されるため、対応する行き先階点字表記部１１０２には「１または１１」を意味する点字が表記されている。
【００２９】
図１１に示した操作盤１１０には、図３および図４に示した操作盤と同様に、人為的な操作入力によって２つの状態を切り替える１つのスイッチからなる切替操作部３０６が設けられている。切替操作部３０６の近傍には、行き先階登録ボタン３０２に対応する行き先階表示内容の２つの状態に対応して、２つの切替操作点字表記部１１０４が設けられている。例えば、一方の切替操作点字表記部１１０４には「１から１０」、他方の切替操作点字表記部１１０４には「１１から２０」を意味する点字を表記し、目が不自由な搭乗者による切替操作部３０６の操作を支援する内容が表記されている。
【００３０】
本実施形態によれば、前述した実施形態の効果に加えて、目が不自由な搭乗者による乗りかご内における行き先階指定のための操作が可能となる。
【００３１】
図１２に、行き先階登録ボタン３０２の行き先階表示内容を一括して切り替える構成の、さらに別な例を示す。図１２に示す構成例においては、図５に示した乗りかご内の操作盤１１０に点字表記部を付加したものである。また、図１２に示す構成例は、切替操作部およびその点字表記部が図１１に示した構成例と異なるが、エレベータ乗りかご１０４の操作盤１１０に設けられた行き先階表示を含む複数の行き先階登録ボタン３０２それぞれの近傍には、それぞれの行き先階登録ボタン３０２に対応する行き先階表示内容を表す行き先階点字表記部１１０２が配置されている点は図１１に示した構成例と同一である。このため行き先階点字表記部１１０２に関する説明は省略する。
【００３２】
図１２に示した操作盤１１０には、図５に示した操作盤と同様に、第１のスイッチ（第１の切替操作部）５０６ａと第２のスイッチ（第２の切替操作部）５０６ｂが設けられている。第１のスイッチ５０６ａと第２のスイッチ５０６ｂそれぞれの近傍には、それぞれ切替操作点字表記部１２０４が設けられている。前述したように、複数の行き先階登録ボタン３０２にそれぞれ含まれる乗りかご１０４の行き先階表示の内容は、予め２つの群に分けられている。第１のスイッチ５０６ａに搭乗者による操作が入力されると、行き先階登録ボタン３０２に含まれる行き先階表示の内容は一方の表示内容、例えば、１階ないし１０階を表す表示内容に切り替えられる。第１のスイッチ５０６ａの近傍に設けられている切替操作点字表記部１２０４には一方の表示内容、例えば、「１から１０」を意味する点字を表記し、目が不自由な搭乗者による切替操作部の操作を支援する内容が表記されている。第２のスイッチ５０６ｂに搭乗者による操作が入力されると、行き先階登録ボタン３０２に含まれる行き先階表示の内容は他方の表示内容、例えば、１１階ないし２０階を表す表示内容に切り替えられる。第２のスイッチ５０６ｂの近傍に設けられている切替操作点字表記部１２０４には他方の表示内容、例えば、「１１から２０」を意味する点字を表記し、目が不自由な搭乗者による切替操作部の操作を支援する内容が表記されている。
【００３３】
本実施形態によれば、図１１を参照しながら説明を行った実施形態の効果と同様に、目が不自由な搭乗者による乗りかご内における行き先階指定のための操作が可能となる。
【００３４】
以上述べた実施形態によれば、操作盤の限られたスペースに表示される行き先階の数を、実効的に増やすことができる。逆に言えば、所定の数の行き先階を表示するスペースを小さくすることができる。また、一部の実施形態によれば、目が不自由な搭乗者の乗りかご内における行き先階指定のための操作を支援することができる。
【００３５】
尚、本発明は上記の実施形態そのままに限定されるものではなく、実施段階ではその要旨を逸脱しない範囲で開示した構成要素を変形して具体化できる。また、上記の実施形態に開示されている複数の構成要素の適宜な組み合わせにより、種々の発明を形成できる。例えば、実施形態に示した全構成要素から幾つかの構成要素を削除してもよい。さらに、異なる実施形態にわたる構成要素を適宜組み合わせてもよい。
【符号の説明】
【００３６】
１０２・・・主制御盤、  １０４・・・乗りかご、  １０６・・・巻上機、
１０８・・・乗りかご制御盤、  １１０・・・操作盤、
３０２・・・行き先階登録ボタン、  ３０４・・・乗りかごドア開閉ボタン、
３０６、５０６ａ、５０６ｂ・・・切替操作部、
６０２ａ、６０２ａ’、６０２ｂ、６０２ｂ’・・・文字表示
６０４・・・表面プレート、  ６０６ａ、６０６ｂ・・・開口、
６０８ａ、６０８ｂ・・・スイッチ、
６１０、９１０、１０１０・・・回路基板、  ８０２・・・ボタン押下検出部、
８０４・・・行き先階判定部、  ９０４・・・表面プレート、
９０６、９０６ａ、９０６ｂ・・・透明部、
１００２ａ、１００２ｂ・・・文字表示、  １００４・・・表面プレート、
１００６・・・位置検出部、  １０１０・・・回路基板、
１０１２・・・フラットパネルディスプレイ、
１１０２・・・行き先階点字表記部、
１１０４、１２０４・・・切替操作点字表記部、
【図１】
2013035610.tif 000003
【図２】
2013035610.tif 000004
【図３】
2013035610.tif 000005
【図４】
2013035610.tif 000006
【図５】
2013035610.tif 000007
【図６】
2013035610.tif 000008
【図７】
2013035610.tif 000009
【図８】
2013035610.tif 000010
【図９】
2013035610.tif 000011
【図１０】
2013035610.tif 000012
【図１１】
2013035610.tif 000013
【図１２】
2013035610.tif 000014